(57)【要約】【課題】異常を検出してその履歴を残すことができる異常検知データ記録装置を提供する。【解決手段】異常検知データ記録装置は、第１の半導体集積回路装置と、第２の半導体集積回路装置と、を備える。前記第１の半導体集積回路装置は、前記異常検知データ記録装置を搭載する電子機器の異常を検知する異常検知部と、前記異常検知部によって検知された異常を示す異常検知データを送信する送信部と、を備える。前記第２の半導体集積回路装置は、前記送信部との間の有線通信により前記異常検知データを受信する受信部と、前記受信部によって受信された前記異常検知データを不揮発的に記憶する記憶部と、を備える。【選択図】図３
2019078887.tif 000002
【特許請求の範囲】
【請求項１】
第１の半導体集積回路装置と、第２の半導体集積回路装置と、を備える異常検知データ記録装置であって、
前記第１の半導体集積回路装置は、
前記異常検知データ記録装置を搭載する電子機器の異常を検知する異常検知部と、
前記異常検知部によって検知された異常を示す異常検知データを送信する送信部と、を備え、
前記第２の半導体集積回路装置は、
前記送信部との間の有線通信により前記異常検知データを受信する受信部と、
前記受信部によって受信された前記異常検知データを不揮発的に記憶する記憶部と、を備える、異常検知データ記録装置。
【請求項２】
前記有線通信が１線シリアル通信である、請求項１に記載の異常検知データ記録装置。
【請求項３】
前記異常検知データは、前記異常検知部によって検知された異常の種類に応じた個数のパルス信号である、請求項２に記載の異常検知データ記録装置。
【請求項４】
前記第２の半導体集積回路装置は、
前記受信部によって受信された前記異常検知データに対してパルス幅が所定値以下のパルスをマスクするマスク部を前記受信部と前記記憶部との間に備える、請求項３に記載の異常検知データ記録装置。
【請求項５】
前記第１の半導体集積回路装置は、
前記第１の半導体集積回路装置の出力異常を検知する出力異常検知部と、
前記出力異常検知部によって前記第１の半導体集積回路装置の出力異常が検知された場合に所定のレベルに保持される第１の端子と、を備え、
前記第２の半導体集積回路装置は、
前記異常検知部によって前記異常検知データ記録装置を搭載する電子機器の異常が検知された場合に前記所定のレベルに保持される第２の端子と、を備え、
前記異常検知データ記録装置は、前記第１の端子と前記第２の端子とを接続する信号線を備える、請求項１〜４のいずれか一項に記載の異常検知データ記録装置。
【請求項６】
前記電子機器が液晶表示装置であり、
前記第１の半導体集積回路装置はレベルシフタＩＣであり、
前記第２の半導体集積回路装置は、少なくとも前記レベルシフタＩＣに電源電圧を供給するシステム電源ＩＣである、請求項１〜５のいずれか一項に記載の異常検知データ記録装置。
【請求項７】
異常検知部と、送信部と、を備える半導体集積回路装置であって、
前記異常検知部は、前記半導体集積回路装置を搭載する電子機器の異常を検知し、
前記送信部は、前記異常検知部によって検知された異常を示す異常検知データを他の半導体集積回路装置の受信部に有線通信によって送信する、半導体集積回路装置。
【請求項８】
受信部と、記憶部と、を備える半導体集積回路装置であって、
前記受信部は、他の半導体集積回路装置の送信部から送信される異常検知データを有線通信によって受信し、
前記記憶部は、前記受信部によって受信された前記異常検知データを不揮発的に記憶する、半導体集積回路装置。
【請求項９】
請求項１〜６のいずれか一項に記載の異常検知データ記録装置を備える、液晶表示装置。
【請求項１０】
請求項１〜６のいずれか一項に記載の異常検知データ記録装置を備える、車両。
【発明の詳細な説明】
【技術分野】
【０００１】
本発明は、例えば過電流保護機能や過電圧保護機能などによって検知される異常を処理する技術に関する。
【背景技術】
【０００２】
液晶表示装置は、テレビ受像機の出力部やパーソナルコンピュータのモニタとして用いられるだけでなく、例えば車載モニタ等としても用いられる。
【０００３】
例えば車載モニタとして液晶表示装置を用いる場合には、車両の安全を確保するために液晶表示装置の異常検出が特に重要視される。
【先行技術文献】
【特許文献】
【０００４】
【特許文献１】特開２０１１−７０２８２号公報
【特許文献２】特開２０１１−３４５０７号公報
【発明の概要】
【発明が解決しようとする課題】
【０００５】
しかしながら、従来の液晶表示装置は、異常を検出した場合に保護をかける保護機能を有しているが、異常を検出してもその履歴が残らない構成になっていた。
【０００６】
なお、特許文献１及び特許文献２では、通信異常を処理する技術が開示されているが、異常を検出してその履歴を残すことができる構成は開示されていない。
【０００７】
本発明は、異常を検出してその履歴を残すことができる異常検知データ記録装置を提供することを目的とする。
【課題を解決するための手段】
【０００８】
本明細書中に開示されている異常検知データ記録装置は、第１の半導体集積回路装置と、第２の半導体集積回路装置と、を備える異常検知データ記録装置であって、前記第１の半導体集積回路装置は、前記異常検知データ記録装置を搭載する電子機器の異常を検知する異常検知部と、前記異常検知部によって検知された異常を示す異常検知データを送信する送信部と、を備え、前記第２の半導体集積回路装置は、前記送信部との間の有線通信により前記異常検知データを受信する受信部と、前記受信部によって受信された前記異常検知データを不揮発的に記憶する記憶部と、を備える構成（第１の構成）である。
【０００９】
上記第１の構成の異常検知データ記録装置において、前記有線通信が１線シリアル通信である構成（第２の構成）にしてもよい。
【００１０】
上記第２の構成の異常検知データ記録装置において、前記異常検知データは、前記異常検知部によって検知された異常の種類に応じた個数のパルス信号である構成（第３の構成）にしてもよい。
【００１１】
上記第３の構成の異常検知データ記録装置において、前記第２の半導体集積回路装置は、前記受信部によって受信された前記異常検知データに対してパルス幅が所定値以下のパルスをマスクするマスク部を前記受信部と前記記憶部との間に備える構成（第４の構成）にしてもよい。
【００１２】
上記第１〜第４いずれかの構成の異常検知データ記録装置において、前記第１の半導体集積回路装置は、前記第１の半導体集積回路装置の出力異常を検知する出力異常検知部と、前記出力異常検知部によって前記第１の半導体集積回路装置の出力異常が検知された場合に所定のレベルに保持される第１の端子と、を備え、前記第２の半導体集積回路装置は、前記異常検知部によって前記異常検知データ記録装置を搭載する電子機器の異常が検知された場合に前記所定のレベルに保持される第２の端子と、を備え、前記異常検知データ記録装置は、前記第１の端子と前記第２の端子とを接続する信号線を備える構成（第５の構成）にしてもよい。
【００１３】
上記第１〜第５いずれかの構成の異常検知データ記録装置において、前記電子機器が液晶表示装置であり、前記第１の半導体集積回路装置はレベルシフタＩＣ（Integrated Circuit）であり、前記第２の半導体集積回路装置は、少なくとも前記レベルシフタＩＣに電源電圧を供給するシステム電源ＩＣである構成（第６の構成）にしてもよい。
【００１４】
本明細書中に開示されている一の局面に係る半導体集積回路装置は、異常検知部と、送信部と、を備える半導体集積回路装置であって、前記異常検知部は、前記半導体集積回路装置を搭載する電子機器の異常を検知し、前記送信部は、前記異常検知部によって検知された異常を示す異常検知データを他の半導体集積回路装置の受信部に有線通信によって送信する構成（第７の構成）である。
【００１５】
本明細書中に開示されている他の局面に係る半導体集積回路装置は、受信部と、記憶部と、を備える半導体集積回路装置であって、前記受信部は、他の半導体集積回路装置の送信部から送信される異常検知データを有線通信によって受信し、前記記憶部は、前記受信部によって受信された前記異常検知データを不揮発的に記憶する構成（第８の構成）である。
【００１６】
本明細書中に開示されている液晶表示装置は、上記第１〜第６いずれかの構成の異常検知データ記録装置を備える構成（第９の構成）である。
【００１７】
本明細書中に開示されている車両は、上記第１〜第７いずれかの構成の異常検知データ記録装置を備える構成（第１０の構成）である。
【発明の効果】
【００１８】
本明細書中に開示されている異常検知データ記録装置によれば、異常を検出してその履歴を残すことができる。
【図面の簡単な説明】
【００１９】
【図１】一実施例に係る液晶表示装置の構成を示すブロック図
【図２】画素アレイの一構成例を示す図
【図３】異常検知データ記録装置の一構成例を示す図
【図４】異常検知データの例を示す図
【図５】異常検知データ記録装置の変形例を示す図
【図６】異常検知データ記録装置の他の変形例を示す図
【図７】異常検知データ記録装置の更に他の変形例を示す図
【図８】車両の外観図
【図９】車両の室内を示す図
【発明を実施するための形態】
【００２０】
＜液晶表示装置の構成＞
まず、液晶表示装置１の構成例について説明する。図１は、液晶表示装置１の構成を示すブロック図である。液晶表示装置１は、画素アレイ１１と、システム電源ＩＣ１２と、タイミング制御ＩＣ１３と、レベルシフタＩＣ１４と、ゲートドライバ１５と、ソースドライバ１６と、ガンマ補正ＩＣ１７と、不図示のバックライトと、を有する。
【００２１】
図２に示すように、画素アレイ１１は、複数行複数列に配置された複数の画素回路１１Ａと、複数行に対応してそれぞれ設けられた複数のゲート線ＧＬと、複数列に対応してそれぞれ設けられた複数のソース線ＳＬと、を有する。各ゲート線ＧＬの一端はゲートドライバ１５に接続される。各ソース線ＳＬの一端はソースドライバ１６に接続される。
【００２２】
画素回路１１Ａは、ＴＦＴ（Thin Film Transistor）１１Ｂと、液晶セル１１Ｃと、を有する。なお、本実施例とは異なりＴＦＴの代わりにＴＦＴ以外のスイッチであってゲート線ＧＬに印加される電圧に応じてオン／オフ制御可能なスイッチを用いてもよい。各ＴＦＴ１１Ｂのゲートは、対応するゲート線ＧＬに接続される。各ＴＦＴ１１Ｂのソースは、対応するソース線ＳＬに接続される。各ＴＦＴ１１Ｂのドレインは、対応する液晶セル１１Ｃを介してコモン電圧が印加される不図示のコモンラインに接続される。液晶セル１１Ｃは、互いに対向する２枚の透明電極と、その２枚の透明電極の間に封入された液晶と、を有する。
【００２３】
ゲート線ＧＬがＬｏｗレベルになっている場合、すなわちゲート線ＧＬに後述の負電源電圧ＶＯＦＦが印加されている場合、ＴＦＦ１１Ｂはオフ状態になる。一方、ゲート線ＧＬがＨｉｇｈレベルになっている場合、すなわちゲート線ＧＬに後述の正電源電圧ＶＯＮが印加されている場合、ＴＦＦ１１Ｂはオン状態になる。ＴＦＦ１１Ｂがオン状態のときに、ソース線ＳＬの電圧がＴＦＦ１１Ｂのドレインと液晶セル１１Ｃとの間の記憶ノードＮ１に書き込まれ、記憶ノードＮ１に書き込まれた電圧はＴＦＦ１１Ｂがオン状態からオフ状態に切り替わることによって記憶ノードＮ１にて保持される。液晶セル１１Ｃの光透過率は、記憶ノードＮ１に書き込まれた電圧に応じて変化する。
【００２４】
図１に戻ってシステム電源ＩＣ１２は、入力電圧ＶＩＮの供給を受けて動作し、アナログ系電源電圧ＡＶＤＤ、ロジック系電源電圧ＶＤＤ、正電源電圧ＶＯＮ、及び負電圧ＶＯＦＦをそれぞれ生成して装置各部に供給する。
【００２５】
タイミング制御ＩＣ１３は、ロジック系電源電圧ＶＤＤの供給を受けて動作し、例えば図１において不図示のＧＰＵから供給される映像信号Ｖ−ＳＩＧに基づいて、ゲートドライバ１５及びソースドライバ１６の動作のタイミングを制御する。
【００２６】
レベルシフタＩＣ１４は、正電源電圧ＶＯＮ及び負電源電圧ＶＯＦＦの供給を受けて動作し、タイミング制御ＩＣ１３から供給される制御信号のレベルをシフトした上でゲートドライバ１５に伝達する。
【００２７】
ゲートドライバ１５は、画素アレイ１１の複数のゲート線ＧＬを所定時間ずつ順次選択する。ゲートドライバ１５は、選択したゲート線ＧＬをＨｉｇｈレベルにする。
【００２８】
本実施例では、ゲートドライバ１５は、複数のゲートドライバＩＣを有する。各ゲートドライバＩＣには複数のゲート線ＧＬが割り当てられ、各ゲート線ＧＬはいずれか１つのゲートドライバＩＣに接続される。なお、本実施形態とは異なり、ゲートドライバ１５が単一のゲートドライバＩＣによって構成されてもよい。
【００２９】
また本実施例では、画素アレイが形成されるガラス基板に各ゲートドライバＩＣがＣＯＧ（Chip On Glass）実装される。なお、本実施形態とは異なり、各ゲートドライバＩＣがガラス基板に実装されずガラス基板以外の基板（例えばプリント回路基板など）に実装されてもよい。
【００３０】
ソースドライバ１６は、各ソース線ＳＬを介して、ゲートドライバ１５によって選択されたゲート線ＧＬに対応する各画素回路１１Ａの記憶ノードＮ１に、映像信号Ｖ−ＳＩＧに応じたレベルの電圧を書き込む。
【００３１】
本実施例では、ソースドライバ１６は、複数のソースドライバＩＣを有する。各ソースドライバＩＣには複数のソース線ＳＬが割り当てられ、各ソース線ＳＬはいずれか１つのソースドライバＩＣに接続される。なお、本実施形態とは異なり、ソースドライバ１６が単一のソースドライバＩＣによって構成されてもよい。
【００３２】
また本実施例では、画素アレイが形成されるガラス基板に各ソースドライバＩＣがＣＯＧ（Chip On Glass）実装される。なお、本実施形態とは異なり、各ソースドライバＩＣがガラス基板に実装されずガラス基板以外の基板（例えばプリント回路基板など）に実装されてもよい。
【００３３】
ガンマ補正ＩＣ１７は、システム電源ＩＣ１２からアナログ系電源電圧ＡＶＤＤの供給を受けてガンマ補正電圧を発生させ、そのガンマ補正電圧をソースドライバ１６に供給する。
【００３４】
不図示のバックライトは、画素アレイ１１の背面に光を面照射する。画素アレイ１１の背面から入射した光は、画素アレイ１１の各画素において、各液晶セル１１Ｃの光透過率に応じて輝度調整された後、画素アレイ１１の正面から出射する。
【００３５】
＜異常検知データ記録装置の構成＞
上述した液晶表示装置１は図３に示す異常検知データ記録装置を備えている。図３に示す異常検知データ記録装置は、レベルシフタＩＣ１４と、システム電源ＩＣ１２と、を備える。なお、図３中の電圧ＶＬは例えば図１中の入力電圧ＶＩＮと同じ値の電圧を用いるとよい。
【００３６】
レベルシフタＩＣ１４は、保護部１４Ａと、ロジック部１４Ｂと、ＮＭＯＳ（Negative -channel  Metal  Oxide  Semiconductor）トランジスタ１４Ｃ及び１４Ｄと、プルアップ抵抗１４Ｅと、外部端子Ｔ１〜Ｔ４と、を備える。
【００３７】
システム電源ＩＣ１２は、プルアップ抵抗１２Ａと、インバータ部１２Ｂと、ロジック部１２Ｃと、ＥＥＰＲＯＭ（Electrically Erasable Programmable Read-Only Memory）１２Ｄと、ＮＭＯＳトランジスタ１２Ｅと、プルアップ抵抗１２Ｆと、外部端子Ｔ５〜Ｔ８と、を備える。なお、ロジック部１２Ｃはマスク部１２Ｇを備える。
【００３８】
保護部１４Ａは、液晶表示装置１の異常を検知した場合にレベルシフタＩＣ１４の出力停止や出力制限等により保護をかける。保護部１４Ａが検知する液晶表示装置１の異常としては、例えば、過電流、画素アレイ１１の異常、画素アレイ１１を含む液晶表示パネルとレベルシフタＩＣ１４との接続不良等を挙げることができる。
【００３９】
ロジック部１４Ｂは、保護部１４Ａによって検知された液晶表示装置１の異常の種類に応じた個数のパルス信号（異常検知データ）を生成する。例えば、図４（ａ）〜（ｄ）に示すような個数が１個〜４個のパルス信号を用いると、４種類の異常を表現することができる。なお、パルス信号のパルス幅Ｗ１はすべて略同一にすることが望ましく、パルス信号の最後にはパルスが存在しない所定期間Ｔ１を設けることが望ましい。パルス幅Ｗ１の値及び所定期間Ｔ１の値は特に限定されないが例えばパルス幅Ｗ１を６μｓとし所定期間Ｔ１の値を２５μｓとすればよい。また隣接するパルス同士の間隔をパルス幅Ｗ１と同一にすることが望ましい。本実施形態では、パルスが発生していないときをＨＩＧＨレベルにしているが、逆にパルスが発生していないときをＬＯＷレベルにしてもよい。
【００４０】
レベルシフタＩＣ１４が複数チャンネルの出力を有するレベルシフタＩＣである場合、例えば出力電流能力の大きさに応じて複数（ｍ個）チャンネルの出力を複数（ｎ個、ただしｎ個＜ｍ個）のグループに分け、グループ内に１つでも過電流になるチャンネルがあれば、そのグループの過電流を検知するようにしてもよい。すなわち、グループ毎に液晶表示装置１の異常の種類を分けてもよい。一方、各チャンネルの過電流を検知するようにしてもよい。すなわち、チャンネル毎に液晶表示装置１の異常の種類を分けてもよい。
【００４１】
ロジック部１４Ｂは、生成したパルス信号（異常検知データ）をＮＭＯＳトランジスタ１４Ｃのゲートに出力する。ＮＭＯＳトランジスタ１４Ｃのソースがグランド電位に接続され、ＮＭＯＳトランジスタ１４Ｃのドレインが外部端子Ｔ１に接続されている。
【００４２】
外部端子Ｔ１は外部抵抗Ｒ１によってプルアップされるとともに、外部配線によりシステム電源ＩＣ１２の外部端子Ｔ５に接続されている。外部端子Ｔ５はプルアップ抵抗１２Ａによってプルアップされるとともにインバータ１２Ｂの入力端に接続される。インバータ１２Ｂの出力端はロジック部１２Ｃに接続される。
【００４３】
したがって、パルス信号（異常検知データ）は１線シリアル通信によってレベルシフタＩＣ１４からシステム電源ＩＣ１２に送られ、反転した形態でロジック部１２Ｃに供給される。
【００４４】
ロジック部１２Ｃのマスク部１２Ｇは、パルス信号（異常検知データ）に対してパルス幅が所定値Ｖ１以下のパルスをマスクする。所定値Ｖ１はパルス幅Ｗ１よりも若干小さい値に設定するとよい。これにより、幅の狭いパルス状のノイズがパルス信号（異常検知データ）に重畳している場合に当該ノイズを除去することができる。
【００４５】
ロジック部１２Ｃは、マスク部１２Ｇによってマスク処理された後のパルス信号（異常検知データ）をＥＥＰＲＯＭ１２Ｄに書き込む。これにより、図３に示す異常検知データ記録装置は、異常を検出してその履歴を残すことができる。ＥＥＰＲＯＭ１２Ｄに書き込まれるデータは、パルス信号（異常検知データ）と同じ論理でもよく、パルス信号（異常検知データ）の反転論理でもよい。
【００４６】
ロジック部１２Ｃは外部端子Ｔ６及びＴ７に接続されている。外部端子Ｔ６及びＴ７はそれぞれ外部配線によりタイミング制御ＩＣ１３に接続されている。したがって、タイミング制御ＩＣ１３は、ＥＥＰＲＯＭ１２Ｄに書き込まれた異常検知データを読み出すことができる。なお、タイミング制御ＩＣ１３以外のＩＣがＥＥＰＲＯＭ１２Ｄに書き込まれた異常検知データを読み出すようにしてもよい。ＥＥＰＲＯＭ１２Ｄから読み出された異常検知データは、例えば、異常発生時における液晶表示装置１全体の処理や異常箇所の解析などに利用することができる。
【００４７】
また、ロジック部１４Ｂは外部端子Ｔ２及びＴ３に接続されている。外部端子Ｔ２及びＴ３はそれぞれ外部配線によりタイミング制御ＩＣ１３に接続されている。
【００４８】
ＮＭＯＳトランジスタ１４Ｄのゲートがロジック部１４Ｂに接続され、ＮＭＯＳトランジスタ１４Ｄのソースはグランド電位に接続されている。ＮＭＯＳトランジスタ１４Ｄのドレインは外部端子Ｔ４に接続されるとともにプルアップ抵抗１４Ｅに接続されている。また、ＮＭＯＳトランジスタ１２Ｅのゲートがロジック部１２Ｃに接続され、ＮＭＯＳトランジスタ１２Ｅのソースはグランド電位に接続されている。ＮＭＯＳトランジスタ１２Ｅのドレインは外部端子Ｔ８に接続されるとともにプルアップ抵抗１４Ｆに接続されている。そして、外部端子Ｔ４と外部端子Ｔ８とが外部配線によって接続されている。
【００４９】
ロジック部１２Ｃは、システム電源ＩＣ１２内に設けられシステム電源ＩＣ１２の出力異常を検知する出力異常検知部（不図示）によってシステム電源ＩＣ１２の出力異常が検知されると、ＮＭＯＳトランジスタ１２Ｅをオンにして外部端子Ｔ８及びＴ４をＬＯＷレベルにする。また、ロジック部１４Ｂは、保護部１４Ａによって液晶表示装置１の異常が検知されると、ＮＭＯＳトランジスタ１４Ｄをオンにして外部端子Ｔ４及びＴ８をＬＯＷレベルにする。
【００５０】
ロジック部１４Ｂは、外部端子Ｔ４の電圧レベルに基づいてシステム電源ＩＣ１２の異常を把握し、システム電源ＩＣ１２に出力異常があった場合に必要な保護動作を実行する。同様に、ロジック部１２Ｃは、外部端子Ｔ８の電圧レベルに基づいてレベルシフタＩＣ１４の異常を把握し、液晶表示装置１の異常があった場合に必要な保護動作を実行する。これにより、システム電源ＩＣ１２及びレベルシフタＩＣ１４の双方において異常発生時に適切な保護を実行することができる。
【００５１】
本実施形態では異常検知データを送信するＩＣが１つであったが、異常検知データを送信するＩＣを複数にしてもよい。例えば異常検知データを送信するＩＣが２つのＩＣ１Ａ及び１Ｂである場合、図５〜図７に示すような構成が考えられる。
【００５２】
図５に示す構成では、ＩＣ１Ａの異常検知データ送信ラインとＩＣ１Ｂの異常検知データ送信ラインとを分離している。この場合、異常検知データを受信するＩＣに異常検知データを受信するための外部端子を２個設ける必要がある。
【００５３】
図６に示す構成では、ＩＣ１Ａの異常検知データ送信ラインとＩＣ１Ｂの異常検知データ送信ラインとを共通化している。この場合、異常検知データを受信するＩＣに異常検知データを受信するための外部端子は１個だけで済むが、ＩＣ１Ａ由来のデータであるかＩＣ１Ｂ由来のデータであるかを識別するためのフラグなどを異常検知データに含める必要がある。
【００５４】
図７に示す構成では、ＩＣ１ＡがＩＣ１Ｂの異常検知データも合わせて送信している。この場合、異常検知データを受信するＩＣに異常検知データを受信するための外部端子は１個だけで済むが、ＩＣ１Ａ由来のデータであるかＩＣ１Ｂ由来のデータであるかを識別するためのフラグなどを異常検知データに含める必要がある。
【００５５】
＜液晶表示装置の用途＞
上述した液晶表示装置１は、例えば、図８で示す車両１０１に搭載される。液晶表示装置１は、例えばカーナビゲーションの地図表示などを行うＣＩＤ (Center Information Display）１０２、インストルメント・クラスタ１０３、電子サイドミラーシステムの表示装置１０４Ｌ及び１０４Ｒ、電子バックミラーシステムの表示装置１０５の少なくとも一つとして用いるとよい（図９参照）。なお、インストルメント・クラスタ１０３に液晶表示装置を適用する場合は、複数の計器に関する表示を行う１つの液晶表示装置で構成されてもよく、各々が少なくとも１つの計器に関する表示を行う複数の液晶表示装置で構成されてもよい。
【００５６】
＜留意点＞
本明細書中に開示されている種々の技術的特徴は、上記実施形態のほか、その技術的創作の主旨を逸脱しない範囲で種々の変更を加えることが可能である。
【００５７】
例えば上記実施形態では、異常検知データ記録装置を液晶表示装置に搭載したが、液晶表示装置以外の電子機器に搭載してもよい。
【００５８】
また、上記実施形態では、異常検知データ記録装置が１線シリアル通信で異常検知データを送受信したが、１線シリアル通信以外の有線通信で異常検知データを送受信してもよい。
【００５９】
すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【符号の説明】
【００６０】
１０  液晶表示装置
１２  システム電源ＩＣ
１３  タイミング制御ＩＣ
１４  レベルシフタＩＣ
１０１  車両
【図１】
2019078887.tif 000003
【図２】
2019078887.tif 000004
【図３】
2019078887.tif 000005
【図４】
2019078887.tif 000006
【図５】
2019078887.tif 000007
【図６】
2019078887.tif 000008
【図７】
2019078887.tif 000009
【図８】
2019078887.tif 000010
【図９】
2019078887.tif 000011